(57)【要約】【課題】  従来と異なる新規な演出用役物を有す遊技機を提供することにより、遊技の演出効果を高める。【解決手段】  桜花を象った布状の可変形体１７ａを孔１７ｃから出没させることにより、桜花である可変形体１７ａを窄めたり開いたりさせる。これにより、あたかも桜花を閉じたり開いたりさせるような演出を行うことができるので、突起物を稼動させて演出する場合やランプやＬＥＤ等の発光体を点灯又は消灯させて演出する場合に比べて、斬新な演出効果を得ることができ、遊技の演出効果を向上させることができる。【選択図】  図４
2006122135.tif 000002
【特許請求の範囲】
【請求項１】
遊技状態に応じた報知動作を行う演出用役物を有する遊技機であって、
前記演出用役物は、
外力により変形するとともに、前記外力が解除されたときに元の形状に復元する可変形体と、
前記可変形体が変形する前の大きさより小さい大きさの孔が設けられた有孔体と、
前記可変形体が前記孔から出没するように前記可変形体及び前記有孔体のうち少なくとも一方を変位させるアクチュエータとを有して構成されていることを特徴とする遊技機。
【請求項２】
前記アクチュエータは、前記可変形体を前記有孔体に対して変位させることを特徴とする請求項１に記載の遊技機。
【請求項３】
前記可変形体は、複数枚の花弁を象った布状のものであることを特徴とする請求項１又は２に記載の遊技機。
【請求項４】
前記有孔体は、複数個の前記孔が設けられた板状の部材であることを特徴とする請求項１ないし３のいずれか１つに記載の遊技機。
【請求項５】
前記孔と同数の前記可変形体を有し、
前記複数の可変形体は、前記有孔体と略平行に配置された可動体に固定されており、
さらに、前記アクチュエータは、前記可動体を前記有孔体に対して変位させることを特徴とする請求項４に記載の遊技機。
【請求項６】
前記アクチュエータは、通電状態と非通電状態とを切り換えることにより稼動する電磁ソレノイドであることを特徴とする請求項１ないし５のいずれか１つに記載の遊技機。
【発明の詳細な説明】
【技術分野】
【０００１】
本発明は、遊技状態に応じた報知動作を行う演出用役物を有する遊技機に関するものであり、パチンコ遊技機やアレンジボール遊技機等の弾球遊技機に適用して有効である。
【背景技術】
【０００２】
遊技を演出する演出用役物として、遊技領域を流下する遊技球とは無関係に、板状の突起物を上下動作させるもの（例えば、特許文献１参照）や、蓋を閉じた状態と蓋を開けた状態とを切り換えるとともに、蓋を開けたときに露出するＬＥＤを遊技状態に応じて制御するもの（例えば、特許文献２参照）が知られている。
【特許文献１】特開２００３−１２６４５６号公報
【特許文献２】特開２００４−１６７２２号公報
【発明の開示】
【発明が解決しようとする課題】
【０００３】
しかし、板状の突起物を上下動させる特許文献１に記載の発明では、稼動する突起物の動きに面白味を持たせることは難しいので、遊技を演出するための役物としては面白味に欠ける。
【０００４】
また、特許文献２に記載の演出用役物は、ＬＥＤの点灯を遊技状態に応じて制御をするものであるが、遊技状態に応じてＬＥＤの点灯を制御することは、比較的ありふれた演出であるので、特許文献２に記載の演出用役物も、遊技を演出するための役物としては面白味に欠ける。
【０００５】
本発明は、上記点に鑑み、従来と異なる新規な演出用役物を有す遊技機を提供することにより、遊技の演出効果を高めることを目的とする。
【課題を解決するための手段】
【０００６】
本発明は、上記目的を達成するために、請求項１に記載の発明では、遊技状態に応じた報知動作を行う演出用役物（１７）を有する遊技機であって、演出用役物（１７）は、外力により変形するとともに、外力が解除されたときに元の形状に復元する可変形体（１７ａ）と、可変形体（１７ａ）が変形する前の大きさより小さい大きさの孔（１７ｃ）が設けられた有孔体（１７ｂ）と、可変形体（１７ａ）が孔（１７ｃ）から出没するように可変形体（１７ａ）及び有孔体（１７ｂ）のうち少なくとも一方を変位させるアクチュエータ（１７ｄ）とを有して構成されていることを特徴とする。
【０００７】
これにより、突起物を稼動させて演出する場合（特許文献１に記載の発明）に比べて、演出用役物（１７）に面白味を持たせることできるとともに、ランプやＬＥＤ等の発光体を点灯又は消灯させて演出する場合（特許文献２に記載の発明）に比べて、斬新な演出効果を得ることができので、遊技の演出効果を特許文献１及び２に比べてより一層向上させることができる。
【０００８】
請求項２に記載の発明では、アクチュエータ（１７ｄ）は、可変形体（１７ａ）を有孔体（１７ｂ）に対して変位させることを特徴とするものである。
請求項３に記載の発明では、可変形体（１７ａ）は、複数枚の花弁を象った布状のものであることを特徴とする。
【０００９】
これにより、ランプやＬＥＤ等の発光体を点灯又は消灯させてあたかも花を閉じたり開いたりさせる演出に比べて、演出用役物（１７）をより本物に近いイメージの花とすることができるので、演出効果を高めながら、遊技者に対して和み感を与えることができる。
【００１０】
請求項４に記載の発明では、有孔体（１７ｂ）は、複数個の孔（１７ｃ）が設けられた板状の部材であることを特徴とするものである。
請求項５に記載の発明では、孔（１７ｃ）と同数の可変形体（１７ａ）を有し、複数の可変形体（１７ａ）は、有孔体（１７ｂ）と略平行に配置された可動体（１７ｅ）に固定されており、さらに、アクチュエータ（１７ｄ）は、可動体（１７ｅ）を有孔体（１７ｂ）に対して変位させることを特徴とする。
【００１１】
これにより、複数の演出用役物（１７）を同時に稼動させることができる。
請求項６に記載の発明では、アクチュエータ（１７ｄ）は、通電状態と非通電状態とを切り換えることにより稼動する電磁ソレノイドであることを特徴とするものである。
【００１２】
因みに、上記各手段等の括弧内の符号は、後述する実施形態（特に、第１実施形態）に記載の具体的手段等との対応関係を示す一例であり、本発明は、上記各手段等の括弧内の符号に示された具体的手段等に限定されるものではない。
【発明を実施するための最良の形態】
【００１３】
以下に本発明の実施形態を図面と共に説明する。
（第１実施形態）
本実施形態は、いわゆるセブン機と呼ばれるタイプの弾球遊技機（以下、単に遊技機という）に本発明を適用したものであり、以下、本発明の実施形態について図１〜図６に基づいて説明する。
【００１４】
先ず、遊技機１本体の概略構造について図１及び図２に基づいて説明する。なお、図１は遊技機１の正面図であり、図２は遊技盤７の詳細図である。
遊技機１の前面部は、図１に示すように、主として外枠（本体枠）２、中枠（図示せず。）、前面枠３、上皿部４、下皿部５及び発射ハンドル６等が設けられており、前面枠３内には、遊技盤７が配設されている。
【００１５】
ここで、中枠は、外枠２の左端側に設けられたヒンジ（図示せず。）を介して開閉可能に外枠２に組み付けられ、前面枠３は、中枠の前面に配置された状態で中枠の左端側にて中枠に対して開閉可能に支持されている。
【００１６】
また、上皿部４は、中枠の前面であって、かつ、前面枠３の下側に配置されて中枠の左端側にて中枠に開閉可能に支持されており、この上皿部４には、上皿部４に溜まった遊技球を下皿部５流下させるための排出口（図示せず。）及びこの排出口を開閉するための玉抜きボタンや遊技球の貸出・返却ボタンが設けられている。
【００１７】
一方、上皿部４の下方に設けられた下皿部５には、下皿部５に貯留された遊技球を遊技機１から排出するめの排出口（図示せず。）や灰皿（図示せず。）等が設けられている。
また、発射ハンドル６は、下皿部５の右側に配置されて遊技球の発射装置ユニット（図示せず。）を操作する操作手段であり、この発射ハンドル６には、遊技者が発射ハンドル６に触れていることを検知するタッチスイッチや遊技球の発射を一時的に停止させる発射停止スイッチ等が設けられている。
【００１８】
なお、前面枠３には、遊技を演出するため照明３ａ〜３ｅが設けられており、こられの照明３ａ〜３ｅは、ランプやＬＥＤ等（本実施形態では、ＬＥＤ）を光源としたもので、遊技効果を高めるためにゲーム進行に応じて点灯・消灯あるいは点滅する。
【００１９】
また、本実施形態に係る遊技盤７は、周知のパチンコ機とほぼ同様であり、この遊技盤７には、図２に示すように、遊技盤７の表面に設けられた外レール７ａと内レール７ｂとにより略円形状の遊技領域７ｃが形成されており、この遊技領域７ｃ内には、中央装置８と、第一種始動口（普通電動役物）９、変動入賞装置１０、入賞口１１、１２、及び多数本の障害釘１３等が設けられている。
【００２０】
中央装置８は、遊技領域７ｃの略中央部に位置し、可変表示手段である液晶表示装置８ａを有して構成されている。液晶表示装置８ａは、特別図柄を変動又は停止表示する領域と演出用の図柄を表示する領域とが設けられ、遊技球が第一種始動口９（以下、始動口９と略す。）に入球すると、その表示される図柄が変動した後、停止表示される。
【００２１】
そして、例えば普通図柄作動ゲート１４を遊技球が通過すると、表示される図柄が変動して、所定時間経過後に１種類の奇数数字が停止表示され、例えば特別図柄として「７」が停止表示されると、始動口９が所定時間（例えば、０．５秒）開放される。
【００２２】
なお、普通図柄作動ゲート１４内には、普通図柄作動ゲート１４を遊技球が通過したか否かを検知する普通図柄作動ゲート検知スイッチＳ１（図３参照）が配設されている。
始動口９は、いわゆるチューリップ式で左右に一対の翼片部が開閉することにより、入球口を開閉するもので、その内部には、遊技球の通過を検知する第一種始動口（普通電動役物）入賞検知スイッチＳ２（図３参照）、及び翼片部を作動させるための第一種始動口（普通電動役物）ソレノイドＣ１（図３参照）が備えられている。
【００２３】
変動入賞装置１０は、大入賞装置１５及び２個の入賞口１２を有して構成されており、大入賞装置１５は、変動入賞装置１０の略中央に位置して帯状に開口した大入賞口１５ａ、この大入賞口１５ａを開放・閉鎖する開閉板１５ｂ、この開閉板１５ｂを開閉するための大入賞口ソレノイドＣ２（図３参照）、大入賞口１５ａに入賞した後に遊技球が通過する特定領域であるＶ入賞口及び一般入賞口（図示せず。）、並びに入賞球を検知する入賞球検知スイッチＳ３（図３参照）等から構成されている。
【００２４】
また、遊技盤７の最下部には、始動口９及び入賞口１１、１２、１５ａのいずれにも入賞しなかった遊技球を遊技盤７外に排出するためのアウト口１６が設けられ、そのアウト口１６の下部には、遊技領域７ｃに到達せず戻ってきた遊技球が再び発射位置に戻ることを防止するためのバック球防止部材１６ａが設けられている。
【００２５】
また、遊技盤７領域７ｃ内には、複数個の演出用役物１７が設けられており、この演出用役物１７は、複数枚の花弁を象った布状の物（以下、この布状の物を可変形体１７ａという。）を遊技状態に応じて開いたり窄めたりすることにより、遊技状態の報知動作を行うものである。なお、この演出用役物１７の詳細は後述する。
【００２６】
次に、遊技機１の電子制御装置２０の概略を、図３に示すブロック図に基づいて説明する。
電子制御装置２０は、主制御部２１と、主として賞球の払出制御を行う払出制御部２２、特別図柄の表示を制御する特別図柄制御部２３、並びに演出用の音声及び照明を制御する音声・ランプ制御部２４等の副制御部とを有して構成されている。
【００２７】
因みに、図３中、実線の矢印は信号が流れる信号ラインを示し、破線の矢印は、各制御部２１〜２４への電源供給経路を示しており、電源からの電力は、先ず、電源受電基板２５に供給され、電源ユニット２６で所定電圧に変換された後、分電基板２６から各制御部２１〜２４に供給される。
【００２８】
そして、主制御部２１の入出力回路部（図示せず。）には、普通図柄作動ゲート通過検知スイッチＳ１、始動口入賞検知スイッチＳ２、入賞球検知スイッチＳ３、入賞口１１、１２に遊技球が入賞か否か検知する検知スイッチＳ４等の遊技球検知手段、並びに各種ソレノイドＣ１、Ｃ２等が接続されている。
【００２９】
なお、入賞球検知スイッチＳ１、Ｓ３は、中継基板２８を介して主制御部２１の入出力回路部に接続され、始動口入賞検知スイッチＳ２、７セグメント等の表示装置にて構成された普通図柄表示装置８ｂ、各種ソレノイドＣ１、Ｃ２、及び普通図柄作動ゲート通過検知スイッチＳ１は、中継基板２８を介さずに直接、主制御部２１の入出力回路部に接続されている。
【００３０】
また、音声・ランプ制御部２４のコネクタ出力部（図示せず。）には、演出用のランプ及びＬＥＤに装着された各種ランプ基板２４ａ及び各種ＬＥＤ基板２５ｂ、並びに演出用の音声を出力するスピーカ（図示せず。）を駆動する音声出力基板２４ｃ等が接続されており、これらの各基板に接続されたランプ、ＬＥＤ及びスピーカは、ゲームの進行状況に応じて点灯・消灯又は点滅等の作動を行う。
【００３１】
また、払出制御部２２には、賞球を払い出す賞球払出装置２２ａ、遊技球を遊技盤７内に発射するための発射装置制御部２２ｂ及び払出用端子基板２２ｃが接続されており、この払出用端子基板２２ｃには、発射停止スイッチ、タンク球切れ検知スイッチ及び補給球切れ検知スイッチ等の図示しない各種スイッチが接続されている。
【００３２】
次に、演出用役物１７の構造及びその作動ついて、図４〜図６に基づいて説明する。
なお、図４（ａ）は、桜花を象った可変形体１７ａが開いた状態における演出用役物１７の構造を示す説明図であり、図４（ｂ）は図４（ａ）の上面図であり、図５（ａ）は桜花を象った可変形体１７ａが閉じた状態における演出用役物１７の構造を示す説明図であり、図５（ｂ）は図５（ａ）の上面図であり、図６は演出用役物１７の主要構成部品の部品図である。
【００３３】
可変形体１７ａは、外力により変形するとともに、前記外力が解除されたときに、ほぼ元の形状に復元するもので、本実施形態では、図４（ｂ）に示すように、化学繊維等からなる布状の不織布を複数枚の花弁を象った桜花形状としたものを採用している。
【００３４】
プレート１７ｂは、図６に示すように、可変形体１７ａが変形する前、つまり桜花をなす可変形体１７ａが閉じる前の大きさより小さい大きさの孔１７ｃが設けられた有孔体であり、この孔１７ｃは、後述するソレノイド１７ｄ側、つまり可変形体１７ａが窄むように変形する際に可変形体１７ａが移動する側に向かうほど孔径が縮小するようなテーパ状に形成されている。
【００３５】
なお、本実施形態に係るプレート１７ｂは、アクリル板等の樹脂製の板以状の部材に、複数個（例えば、３個）の孔１７ｃを設けて、複数個の桜花（可変形体１７ａ）を同時に開閉するようにしている。
【００３６】
また、ソレノイド１７ｄは、図４（ａ）及び図５（ａ）に示すように、可変形体１７ａが孔１７ｃから出没するように可変形体１７ａ及び有孔体１７ｂのうち少なくとも一方を変位させるアクチュエータであり、本実施形態では、可変形体１７ａをプレート１７ｂに対して変位させて、可変形体１７ａを孔１７ｃから出没させている。
【００３７】
具体的には、可動体をなす可動プレート１７ｅをプレート１７ｂと略平行に配置した状態で、複数個（本実施形態では、３個）の可変形体１７ａを可動プレート１７ｅに固定するとともに、この可動プレート１７ｅをソレノイド１７ｄにて紙面上下方向に変位させるものである。
【００３８】
ソレノイド１７ｄは、電磁吸引力と弾性手段をなすコイルバネ１７ｈとの力の釣り合いを利用して可動プレート１７ｅを変位させるもので、本実施形態では、非通電時においては、図４（ａ）に示すように、コイルバネ１７ｈの弾性力により可動プレート１７ｅがプレート１７ｂに接触した状態となり、一方、通電時においては、図５（ａ）に示すように、電磁吸引力がコイルバネの弾性力を上回って可動プレート１７ｅをプレート１７ｂから引き離すように変位させる。因みに、ソレノイド１７ｄへの通電・非通電は、電子制御装置２０により制御されている。
【００３９】
なお、図４（ａ）及び図５（ａ）において、スペーサ１７ｆは、プレート１７ｂとストッパプレート１７ｇとの間隔を保持するとともに、可動プレート１７ｅの変位を案内するガイド部材を兼ねるもので、本実施形態では、アクリル等の樹脂からなる円柱部材にてスペーサ１７ｆを構成している。
【００４０】
また、プランジャプレート１７ｊは、ストッパプレート１７ｇよりソレノイド１７ｄ側に配置されてソレノイド１７ｄのプランジャ（可動鉄心）１７ｋと一体的に稼動するものであり、このプランジャプレート１７ｊは、ストッパプレート１７ｇを貫通する連結部材１７ｍを介して可動プレート１７ｅに連結されている。
【００４１】
なお、本実施形態では、プランジャプレート１７ｊは、プランジャ１７ｋの先端に形成された傘状の鍔部１７ｎとコイルバネ１７ｈとによって挟まれた状態になっており、以下のようにしてプランジャプレート１７ｊはプランジャ１７ｋと一体的に稼動する。
【００４２】
すなわち、ソレノイド１７ｄに通電されてプランジャ１７ｋが紙面下方側に変位したときは、プランジャプレート１７ｊは鍔部１７ｎに係止された状態でプランジャ１７ｋと共に紙面下方側に変位する。一方、ソレノイド１７ｄへの通電が遮断されたときは、コイルバネ１７ｈは、プランジャプレート１７ｊを紙面上方側に変位させる弾性力をプランジャプレート１７ｊに作用させ、かつ、プランジャ１７ｋは、鍔部１７ｎによりプランジャプレート１７ｊに係止されているので、プランジャ１７ｋは、プランジャプレート１７ｊと共に紙面上方側に変位する。
【００４３】
また、可動プレート１７ｅのプランジャ１７ｋ側には、可動プレート１７ｅと一体的に変位する突起部１７ｐが設けられており、この突起部１７ｐは、可動プレート１７ｅの変位を案内するガイド部材を構成している。
【００４４】
因みに、本実施形態では、プレート１７ｂ、ストッパプレート１７ｇ及びプランジャプレート１７ｊ等は、ビス等の機械的締結手段により固定又は連結され、可変形体１７ａは可動プレート１７ｅに圧入固定されているが、本実施形態は、これに限定されるものではなく、接着剤や溶着等のその他方法により固定又は連結してもよいことは言うまでもない。
【００４５】
次に、演出用役物１７の作動について説明する。
１．可変形体１７ａが孔１７ｃから出ている（桜花が開花している）場合
ソレノイド１７ｄへの通電を遮断する。これにより、可動プレート１７ｅは、プランジャプレート１７ｊと共に紙面上方側に変位するので、図５（ａ）に示すようにプレート１７ｂの孔１７ｃ内に陥没した状態で収納されていた可変形体１７ａが、図４（ａ）に示すように孔１７ｃから出現する。
【００４６】
このとき、孔１７ｃの大きさは、可変形体１７ａの大きさより小さいため、可変形体１７ａが孔１７ｃの中に収納された状態では、可変形体１７ａは周囲（孔１７ｃの外縁）から拘束力を受けて、図５（ｂ）に示すように、あたかも桜花が閉じているように窄んだ状態となるのに対して、可変形体１７ａが孔１７ｃから出現すると、可変形体１７ａに作用する拘束力が解除されるため、図４（ｂ）に示すように、可変形体１７ａが元の桜花形状に復元し、あたかも桜花が開いたような状態となる。
２．可変形体１７ａが孔１７ｃ内に収納されている（桜花が閉じている）場合
ソレノイド１７ｄに通電する。これにより、可動プレート１７ｅは、プランジャプレート１７ｊと共に紙面下方側に変位するので、図４（ａ）に示すように孔１７ｃから出現していた可変形体１７ａが、図５（ａ）に示すようにプレート１７ｂの孔１７ｃ内に陥没した状態で収納される。
【００４７】
このため、可変形体１７ａは、可変形体１７ａの大きさより小さい孔１７ｃに収納された状態となるので、可変形体１７ａは周囲（孔１７ｃの外縁）から拘束力を受けて、図５（ｂ）に示すように、あたかも桜花が閉じているように窄んだ状態となる。
【００４８】
そして、本実施形態では、「スーパーリーチ」や「大当り」等の遊技状態、又は遊技球の払い出し状態及び特別図柄の表示状態等に応じてソレノイド１７ｄへの通電を制御して、桜花の開花状態、つまり演出用役物１７の状態を制御する。
【００４９】
次に電子制御装置２０にて実行される賞球動作の概略を説明する。
先ず、主制御部２１は、払出制御部２２を作動指令対象とする指令信号として所定個数の賞球個数データを、その検知順に払出制御部２２に送信し、払出制御部２２は、主制御部２１からの賞球個数データを受け取り、賞球払出信号の送信により賞球払出装置２２ａを作動させる。
【００５０】
具体的には、主制御部２１は、入賞球検知スイッチＳ３により遊技球が大入賞口１５ａを通過したことを検知した場合には１５個、第一種始動口入賞検知スイッチＳ２により始動口９を通過したことを検知した場合には６個、それ以外の場合（例えば、入賞口１２に遊技球が入賞したことを検知した場合等）には１０個を賞球個数データとして払出制御部２２に送信し、払出制御部２２は、この受信した賞球個数データに対応する個数の遊技球を払い出す。
【００５１】
また、主制御部２１は、上述の各種検知スイッチの出力に基づいて遊技状態を判断して、その遊技状態に基づいて当否判定を行うとともに、その判定結果に応じた図柄表示態様で画面表示制御を行うためのデータを読み込む。
【００５２】
具体的には、主制御部２１は、始動口入賞検知スイッチＳ２、入賞球検知スイッチＳ３等の検知結果、及び特別図柄当否判定乱数の取得値等に基づいて、遊技が行われているか否か、遊技は行われているものの始動入賞がない状態（いわゆる、変動準備状態）であるか否か、始動入賞があった状態であるか否か、又は特別遊技状態であるか否か等を判断する。
【００５３】
このとき、例えば始動入賞が検知されると乱数値に基づいて当否判定が行われ、その判定結果に応じた特別図柄の変動（リーチ表示態様を含む。）、又は確定等の表示態様制御のためのデータが読み込まれ、この読み込まれたデータは、特別図柄制御部２３に送信される。
【００５４】
なお、主制御部２１により実行されるジョブの概要は、例えば特開２００４−２６１４９６号公報に記載されている弾球遊技機と同様であるので、本明細書では、主制御部２１により実行されるジョブの説明を省略する。
【００５５】
次に、本実施形態に係る遊技機１の特徴を述べる。
本実施形態では、可変形体１７ａを窄めたり開いたりさせて、あたかも桜花を閉じたり開いたりさせて演出を行うので、突起物を稼動させて演出する場合（特許文献１に記載の発明）に比べて、演出用役物１７に面白味を持たせることでき、遊技の演出効果を向上させることができる。
【００５６】
また、本実施形態では、可変形体１７ａを窄めたり開いたりさせて、あたかも桜花を閉じたり開いたりさせて演出を行うので、ランプやＬＥＤ等の発光体を点灯又は消灯させて演出する場合（特許文献２に記載の発明）に比べて、斬新な演出効果を得ることができ、遊技の演出効果を向上させることができる。
【００５７】
また、本実施形態では、桜花に似せた布状の可変形体１７ａを開閉させるので、ランプやＬＥＤ等の発光体を点灯又は消灯させてあたかも桜花を閉じたり開いたりさせる演出に比べて、演出用役物１７をより本物に近いイメージの桜花とすることができ、演出効果を高めながら、遊技者に対して和み感を与えることができる。
【００５８】
また、本実施形態では、可動プレート１７ｅにて複数個の可変形体１７ａを同時に変位させるので、複数個の演出用役物１７、つまり複数個の桜花を同時に開花又は閉じたりすることができる。
【００５９】
（第２実施形態）
第１実施形態では、電磁式のソレノイド１７ｄにより本発明係るアクチュエータを構成したが、本実施形態は、図７に示すように、電動モータ１８ａ及び複数個のカム１８ｂ〜１８ｄにてアクチュエータを構成したものである。
【００６０】
すなわち、本実施形態では、電動モータ１８ａが回転すると、これに機械的に連動して各カム１８ｂ〜１８ｄは、紙面と垂直な軸周りに回転する。そして、各カム１８ｂ〜１８ｄが反時計回り（左向き）に回転すると、プランジャ１８ｅ〜１８ｇが各カム１８ｂ〜１８ｄに押されて紙面左側に移動し、可変形体１７ａが孔１７ｃから出現する。
【００６１】
逆に、各カム１８ｂ〜１８ｄが時計回り（右向き）に回転すると、プランジャ１８ｅ〜１８ｇは各カム１８ｂ〜１８ｄに押し戻されるようにして紙面右側に移動し、可変形体１７ａが孔１７ｃに陥没するように収納される。
【００６２】
また、本実施形態では、各カム１８ｂ〜１８ｄの形状を相互に相違させることにより、可変形体１７ａが孔１７ｃから出現するとき（桜花が開花するとき）は、複数の可変形体１７ａがほぼ同時に孔１７ｃから出現し、一方、可変形体１７ａが孔１７ｃに収納されるとき（桜花が閉じるとき）は、複数の可変形体１７ａが順番に孔１７ｃに収納されるようにしている。因みに、本実施形態では、紙面上方側の可変形体１７ａから順に孔１７ｃに収納されるように構成されている。
【００６３】
ところで、本実施形態では、カム１８ｂ〜１８ｄを用いて電動モータ１８ａの回転運動を往復運動に変換したが、本実施形態は、これに限定されるものではなく、例えばリンク機構等によりアクチュエータを構成してもよい。
【００６４】
（その他の実施形態）
上述の実施形態では、桜花を象った布状の可変形体１７ａにて演出用役物１７を構成したが、本発明はこれに限定されるものではなく、例えば、多数本の線状の可変形体１７ａを孔１７ｃに対して出没させてもよい。
【００６５】
また、上述の実施形態では、一枚のプレート１７ｂに複数個の孔１７ｃを設けたが、本発明はこれに限定されるものではなく、一枚のプレート１７ｂに１個の孔１７ｃを設けてもよい。
【００６６】
また、上述の実施形態では、板状の部材（プレート１７ｂ）に孔１７ｃを設けたが、本発明はこれに限定されるものではなく、例えば孔１７ｃが設けられた有孔体を筒状としてもよい。
【００６７】
また、上述の実施形態では、孔１７ｃが設けられた有孔体（プレート１７ｂ）に対して可変形体１７ａを変位させたが、本発明はこれに限定されるものではなく、これとは逆に、可変形体１７ａに対して有孔体（プレート１７ｂ）を変位させてもよい。
【００６８】
また、上述の実施形態では、ソレノイド１７ｄに非線形特性を有する円錐コイルバネを用いたが、本発明はこれに限定されるものではなく、通常の線形コイルバネやその他のバネ手段を用いてもよい。
【００６９】
また、上述の実施形態では、プランジャプレート１７ｊは、プランジャ１７ｋの先端に形成された傘状の鍔部１７ｎとコイルバネ１７ｈとによって挟まれた状態になっていたが、本発明はこれに限定されるものではなく、例えばプランジャプレート１７ｊとプランジャ１７ｋとをビス等の締結手段によって固定してもよい。
【００７０】
また、上述の実施形態では、演出用役物１７を単に遊技領域内７ｃとしたが、本発明は、これに限定されるものではなく、例えば中央装置８の内側で液晶装置８ａの上部としてもよい。なお、このような部位に演出用役物１７を配置すれば、遊技球の影響を受け難い演出用役物１７の損傷等を未然に防止できる。
【００７１】
また、上述の実施形態では、可変形体１７ａとして化学繊維等からなる布状の不織布を用いたが、本発明はこれに限定されるものではなく、例えば薄い塩化ビニルで傘状としてもよい。
【００７２】
また、上述の実施形態では、本発明をパチンコ機に適用したが、本発明の適用対象はこれに限定されるものではなく、その他の弾球遊技機等にも適用することができる。
また、本発明は、特許請求の範囲に記載された発明の趣旨に合致するものであればよく、上述の実施形態に限定されるものではない。
【図面の簡単な説明】
【００７３】
【図１】本発明の実施形態に係るパチンコ機の正面図である。
【図２】本発明の実施形態に係るパチンコ機における遊技盤の正面図である。
【図３】本発明の実施形態に係るパチンコ機の電気系のブロック図である。
【図４】本発明の第１実施形態に係る演出用役物の拡大図である。
【図５】本発明の第１実施形態に係る演出用役物の拡大図である。
【図６】本発明の第１実施形態に係る演出用役物の部品である。
【図７】本発明の第２実施形態に係る演出用役物の説明図である。
【符号の説明】
【００７４】
１…遊技機、２…外枠、３…前面枠、３ａ…照明、４…上皿部、５…下皿部、
６…発射ハンドル、７…遊技盤、７ａ…外レール、７ｂ…内レール、
７ｃ…遊技領域、８…中央装置、８ａ…液晶表示装置、８ｂ…液晶表示装置
８ｂ…普通図柄表示装置、９…始動口、９…第一種始動口、９ａ…タッチスイッチ、
１０…変動入賞装置、１１…始動口９及び入賞口、１１…入賞口、１２…入賞口、
１４…普通図柄作動ゲート、１５…大入賞装置、１５ａ…大入賞口、
１５ｂ…開閉板、１６…アウト口、１６ａ…バック球防止部材、１７…演出用役物、
１７ａ…可変形体、１７ｂ…プレート、１７ｃ…孔、１７ｄ…ソレノイド、
１７ｅ…可動プレート、１７ｆ…スペーサ、１７ｇ…ストッパプレート、
１７ｈ…コイルバネ、１７ｊ…プランジャプレート、１７ｋ…プランジャ、
１７ｍ…連結部材、１７ｎ…鍔部、１７ｐ…突起部、１７ｓ…始動口入賞検知スイッチ、
２０…電子制御装置、２１…主制御部、２２…払出制御部、２２ａ…賞球払出装置、
２２ｃ…発射装置制御部２２ｂ及び払出用端子基板、２２ｃ…払出用端子基板、
２３…特別図柄制御部、２４…音声・ランプ制御部、２５…電源受電基板、
２６…電源ユニット、２６…分電基板、２８…中継基板、Ｃ１…ソレノイド、
Ｃ２…大入賞口ソレノイド、Ｓ１…及び普通図柄作動ゲート通過検知スイッチ、
Ｓ１…入賞球検知スイッチ、Ｓ１…普通図柄作動ゲート検知スイッチ、
Ｓ１…普通図柄作動ゲート通過検知スイッチ、Ｓ２…始動口入賞検知スイッチ、
Ｓ２…第一種始動口入賞検知スイッチ、Ｓ２…入賞検知スイッチ、
Ｓ３…入賞球検知スイッチ。
【図１】
2006122135.tif 000003
【図２】
2006122135.tif 000004
【図３】
2006122135.tif 000005
【図４】
2006122135.tif 000006
【図５】
2006122135.tif 000007
【図６】
2006122135.tif 000008
【図７】
2006122135.tif 000009